(57)【特許請求の範囲】
【請求項１】
少なくとも１つの頁片の交わる２辺に、折部を介して開閉可能に連接した頁片を有し、
前記連接した１方の頁片にディスク状情報記憶媒体収納具を有し、
前記ディスク状情報記憶媒体収納具にディスク状情報記憶媒体が収納され、
前記少なくとも１つの頁片と連接したもう１方の頁片との折部を跨いだ立体形成部を有してなることを特徴とするディスク状情報記憶媒体収納体。
【請求項２】
前記折部及び頁片は印刷された紙片で成形されてなる
ことを特徴とする請求項１記載のディスク状情報記憶媒体収納体。
【請求項３】
前記ディスク状情報記憶媒収納具が透明樹脂組成物からなる
ことを特徴とする請求項１〜２のいずれか記載のディスク状情報記憶媒体収納体。
【請求項４】
前記ディスク状情報記憶媒体収納具が前記ディスク状情報記憶媒体の中央に有する孔部に嵌合する嵌合突起状軟性樹脂組成物からなる
ことを特徴とする請求項１〜３のいずれか記載のディスク状情報記憶媒体収納体。
【発明の詳細な説明】
【０００１】
【発明の属する技術分野】
本発明はコンパクトディスクなどのディスク状情報記憶媒体の収納体に関し、特にシングルコンパクトディスクジャケットなどのディスク状情報記憶媒体収納体に関する。
【０００２】
近年、情報記憶媒体として種々の光ディスク及び光磁気ディスクが規格化されて一般に使用されている。このようなディスク状情報記憶媒体としてコンパクトディスク（以下ＣＤとする）が普及している。ＣＤは中央に孔を有する円形の光ディスクで直径１２ｃｍのものと８ｃｍのものとがあり、８ｃｍのものはシングルコンパクトディスク（以下シングルＣＤとする）と呼ばれている。これらＣＤは、予め音楽データや画像データ、コンピュータにおいて使用されるアプリケーションソフトウェアが記録されて市販されている場合が多い。特にシングルＣＤでは音楽データを記録して市販されているものが多い。
【０００３】
これらディスク状情報記憶媒体を収納するための収納体は、ディスク状情報記憶媒体が比較的薄い形態であることから薄く形成することが可能となる。特にシングルＣＤでは、折部を介して開閉可能に連接した矩形の印刷された紙片からなり、１方の紙片にプラスチック性の収納具を貼付し、その収納具にシングルＣＤが収納され、もう１方の紙片によりシングルＣＤを収納した面を閉じ、この状態でビニール袋に封じたシングルＣＤジャケットが一般に流通している。
【０００４】
このシングルＣＤジャケットは販売店の店頭における表示効果等を考慮して、該シングルＣＤ２枚分相当を併設した大きさが規格品となっている。そして表面部には収納するシングルＣＤに関する内容、例えば音楽盤であれば歌曲のタイトル、アーティスト、プレイヤー等の写真、内容解説の文書、などが印刷がなされている。そして、その内面部の一面はディスク状情報記録媒体収納具が貼付され、もう１面には表面部には無いその他のより詳細な情報、例えば音楽盤であれば必ずしもその限りではないが、歌詞などが印刷されている。
【０００５】
しかしながらこのシングルＣＤジャケットは、そのＣＤを抜き出し放置した状態では、折部の折りにより自然と閉じてしまい、表面部の情報しか見ることが出来なかった。内面部に印刷されたより詳細な情報を見るためには他の手段により開いた状態を保持しておかなけければならいという不都合が生じていた。
【０００６】
さらには、このシングルＣＤジャケットの表面部の情報は、上記のとおり一般的な情報に過ぎず、かつ各種許諾表示、料金表示、バーコードなどがあり、純粋に鑑賞に適したものではなかった。
【０００７】
また、内面部の情報表示にしても、一面は上記収納具によって占められているため表示が困難であり、もう一面もジャケットの薄さを維持する必要から特に印刷情報以外の情報表現が見られなかった。
【０００８】
【発明が解決しようとする課題】
本発明はこのような問題点を解決するためになされたものであり、その課題とするところは、新たな情報表示効果を有するディスク状情報記憶媒体収納体を提供することにある。
【０００９】
【課題を解決するための手段】
【００１１】
本発明はこの課題を解決するため、請求項１記載の発明においては、少なくとも１つの頁片の交わる２辺に、折部を介して開閉可能に連接した頁片を有し、前記連接した１方の頁片にディスク状情報記憶媒体収納具を有し、前記ディスク状情報記憶媒体収納具にディスク状情報記憶媒体が収納され、前記少なくとも１つの頁片と連接したもう１方の頁片との折部を跨いだ立体形成部を有してなることを特徴としている。
【００１２】
本発明はこの構成により、折部を介して開閉可能に連接した頁片を開いて屏風状に立てて設置し、もう一方の頁片を底面とすることで独立設置可能とした。さらにこの状態で立体形成部が展開すること、及び一方の頁片を底面とすることで、屏風状に開いた頁片を開いた状態に保持することを可能とした。また、この構造により販売店の店頭の広告としてはさらに便利に利用可能とした。
【００１３】
なお、上記構成は、屏風状に開いた折部に立体形成面を有して底面とした頁片に情報記憶媒体収納具を有した構成としても良いし、屏風状に開いた折部に接する一方の頁片に情報記憶媒体収納具を有しもう一方の頁片と底面との折部に立体形成面を有した構成としても良い。またこれらに限定されるものでもない。
【００１４】
また、請求項２記載の発明においては、前記折部及び頁片は印刷された紙片で成形されてなることを特徴としている。本発明はこの構成により、各頁片を印刷された紙片で構成することにより、各部の一体成形を可能なものとし、印刷情報の付加を容易なものとした。
【００１５】
また、請求項３記載の発明においては、前記ディスク状情報記憶媒収納具が透明樹脂組成物からなることを特徴としている。本発明はこの構成により、ディスク状情報記憶媒体収納具を貼付した頁片の印刷情報表示を可能なものとし、上記構成と合わせても、ディスク状情報記憶媒体収納体の折部で閉じられた内面部の情報表示を有用なものとすることを可能とした。
【００１６】
また、請求項４記載の発明においては、前記ディスク状情報記憶媒体収納具が前記ディスク状情報記憶媒体の中央に有する孔部に嵌合する嵌合突起状軟性樹脂組成物からなることを特徴としている。本発明はこの構成において、ディスク状情報記憶媒体収納具をより製造容易に簡単なものとし、ディスク状情報記憶媒体収納具が嵌合突起状部分のみであれば、この頁片のその他の部分についての印刷情報表示をより容易に可能なものとし、さらにディスク状情報記憶媒体収納体全体をより軽く、薄いものとすることを可能とした。
【００１７】
【発明の実施の形態】
以下、本発明の実施の形態につき図面に基づき詳細に説明する。図１に本発明のディスク状情報記憶媒体の一実施例の概略を示す。開閉可能な折部４により頁片１と頁片２を連接してなり、頁片２にディスク状情報記憶媒体収納具５を貼付し、これにディスク状情報記憶媒体６を収納し、頁片１の、頁片２と交わるもう１方の辺に頁片３を連接してなり、頁片３との折部を跨いで立体形成部７を有する構造となっている。なお羽状部８も立体形成部７の一部である。
【００１８】
本発明における頁片１、２、３及び折部４としては紙片、プラスチック片その複合等が適用可能であり、特には紙片であることが組立や印刷加工、立体形成部の形成等が容易であり、好ましく使用できるが、特に限定されるものではない。また頁片は後述するディスク状情報記憶媒体収納具５や立体形成部７と一体形成したものであっても良い。また折部４としては、ラベル部となるような厚みを持ったものでも良く、前記頁片の厚みや後述するディスク状情報記憶媒体収納具５ａの厚みにより適宜決定可能である。
【００１９】
本発明におけるディスク状情報記憶媒体収納具５としては、プラスチック性のものが適用可能であるが、紙性であっても良く、特に限定されるものではない。また、透明樹脂組成物であれば、ディスク状情報記憶媒体収納具５を貼付した頁片の印刷情報表示が可能となり、好ましいものとなる。
【００２０】
ディスク状情報記憶媒体収納具５の形状としては、図１に示すようなディスク状情報記憶媒体を収納する凹部５ａと、凹部中心の係止部５ｂと、凹部周辺部の欠載部５ｃを有してなる構造が一般的であるが、これに限定されるものではなく、従来ある形状のいずれも適用可能である。特に図２に示すような、ディスク状情報記憶媒体の中央に有する孔部に嵌合する嵌合突起状軟性樹脂組成物のみからなるものであれば、この頁片のその他の部分についての印刷情報表示をより容易に可能なものとし、さらにディスク状情報記憶媒体収納体全体をより軽く、薄いものとすることを可能とするので好ましい。
【００２１】
本発明における情報記憶媒体としてはＣＤ、ＤＶＤ等が適用可能であるがこれらに限定するものではない。図１ではシングルＣＤを例として挙げている。
【００２２】
前記ディスク状情報記憶媒体の収納方法としては、図１では前記凹部５ａ内に対してディスク状情報記憶媒体を挿入させた状態で、係止部５ｂにディスク状情報記憶媒体の中心孔部を弾力的に係着させて行い、また、その取り出しは、前記係止部５ｂの表面を弾性力に抗して指先で軽く押圧することにより収納されているディスク状情報記憶媒体を凹部よりやや浮かび上がらせ、且つこの状態で該浮か上がらせたディスク状情報記憶媒体の側面を欠載部５ｃより指先に掛け、これを引き起こして取り出すこととなる。図２の場合も略同一の方法により収納、取り出しが可能である。
【００２３】
図３に、図１に示したディスク状情報記憶媒体収納体を上面から見た概略図を示し、同じく立体形成部の内部展開図を図４に示す。本実施例の立体形成部７は、ａの裏面が頁片２に接着され、ａ−ｂ間、ａ−ｃ間、８−ｃ間で谷折り、ｂ−８間、ｃ−ｄ間、ｄ−ｅ間を山折りされ、ｄが立体形成部外部９に接着され、ｅが頁片３に接着されてなる。しかし、特にこれらの構造に限定されるものではなく、任意に適用可能である。図３の構造によれば、立体形成部７の一部として羽状部８を有し、これが立体形成の際には羽を広げるように左右に展開することから特に趣の深いものとなっている。さらにこの例においては、展開した羽状部の一部がラベル部となる折部により屏風状に立てて置いた頁片１が閉じてくるのを抑え、屏風状に開いた状態を保持することとなるので好ましいものとなっている。
【００２４】
本発明におけるディスク状情報記憶媒体収納体としては、ジャケット、カセット、ケース、冊子体等が可能であるが、少なくも１つの折部を介して開閉可能に連接した頁片を有し、少なくも１つの頁片にディスク状情報記憶媒体収納具を有し、前記ディスク状情報記憶媒体収納具にディスク状情報記憶媒体が収納されてなるものであればこれらに限定されるものではない。
【００２５】
【発明の効果】
【００２６】
本発明に基づく請求項１に記載のディスク状情報記憶媒体収納体によれば、折部を介して開閉可能に連接した頁片を開いて屏風状に立てて設置し、もう一方の頁片を底面とすることで独立設置可能とした。さらにこの状態で立体形成部が展開すること、及び一方の頁片を底面とすることで、屏風状に開いた頁片を開いた状態に保持することを可能とした。また、この構造により販売店の店頭の広告としてはさらに便利に利用可能とした。
【００２７】
また、請求項２に記載のディスク状情報記憶媒体収納体によれば、各頁片を印刷された紙片で構成することにより、各部の一体成形を可能なものとし、印刷情報の付加を容易なものとした。
【００２８】
また、請求項３に記載のディスク状情報記憶媒体収納体によれば、ディスク状情報記憶媒体収納具を貼付した頁片の印刷情報表示を可能なものとし、上記構成と合わせても、ディスク状情報記憶媒体収納体の折部で閉じられた内面部の情報表示を有用なものとすることを可能とした。
【００２９】
また、請求項４に記載のディスク状情報記憶媒体収納体によれば、ディスク状情報記憶媒体収納具をより製造容易に簡単なものとし、ディスク状情報記憶媒体収納具が嵌合突起状部分のみであれば、この頁片のその他の部分についての印刷情報表示をより容易に可能なものとし、さらにディスク状情報記憶媒体収納体全体をより軽く、薄いものとすることを可能とした。
【図面の簡単な説明】
【図１】本発明のディスク状情報記憶媒体収納体の一実施例の展開した際の構造の概略を示す説明図である。
【図２】本発明のディスク状情報記憶媒体収納体の他の実施例の展開した際の構造の概略を示す説明図である。
【図３】図１を上面から見た場合の構造の概略を示す説明図である。
【図４】図１の立体形成部の構造を示す展開図である。
【符号の説明】
１、２、３…頁片
４…折部
５…ディスク状情報記憶媒体収納具
５ａ…凹部
５ｂ…係止部
５ｃ…欠載部
６…ディスク状情報記憶媒体
７…立体形成部
８…羽状部
９…立体形成部外部
【図１】
0004010070.tif 000002
【図２】
0004010070.tif 000003
【図３】
0004010070.tif 000004
【図４】
0004010070.tif 000005